(57)【特許請求の範囲】
【請求項１】
物理的アップリンク制御チャンネル（physical uplink control channel；ＰＵＣＣＨ）フォーマット３で構成された端末のアップリンク制御チャンネル転送方法であって、
送受信ポイントからＰＵＣＣＨフォーマット２／２ａ／２ｂで単一ＨＡＲＱ（hybrid automatic repeat request）ＡＣＫ／ＮＡＣＫ（acknowledgement／negative-acknowledgement）とＣＳＩ（channel state information）との同時転送を指示する第１パラメータを上位階層により受信するステップと、
前記送受信ポイントからＰＵＣＣＨフォーマット３で多重ＨＡＲＱ ＡＣＫ／ＮＡＣＫとＣＳＩとの同時転送を指示する第２パラメータを上位階層により受信するステップと、
前記端末のデュプレックスモードがＦＤＤであり、前記端末に搬送波集合化が構成されており、ＰＵＣＣＨフォーマット３が構成されており、前記第１パラメータ及び前記第２パラメータのうち、少なくとも一つがTRUEに設定されれば、前記第１パラメータと前記第２パラメータとの設定の組み合わせによって前記ＰＵＣＣＨフォーマット２／２ａ／２ｂ及び前記ＰＵＣＣＨフォーマット３のうちの一つでＨＡＲＱ ＡＣＫ／ＮＡＣＫとＣＳＩとの同時転送を遂行するステップと、
を含む方法。
【請求項２】
前記同時転送を遂行するステップは、
前記第２パラメータがTRUEに設定され、前記ＨＡＲＱ ＡＣＫ／ＮＡＣＫが多重ＨＡＲＱ ＡＣＫ／ＮＡＣＫであれば、前記ＰＵＣＣＨフォーマット３で前記ＨＡＲＱ ＡＣＫ／ＮＡＣＫとＣＳＩとの同時転送を遂行する、請求項１に記載の方法。
【請求項３】
前記同時転送を遂行するステップは、
前記第１パラメータがTRUEに設定され、前記ＨＡＲＱ ＡＣＫ／ＮＡＣＫが単一ＨＡＲＱＡＣＫ／ＮＡＣＫであれば、前記ＰＵＣＣＨフォーマット２／２ａ／２ｂで前記ＨＡＲＱＡＣＫ／ＮＡＣＫとＣＳＩとの同時転送を遂行する、請求項１に記載の方法。
【請求項４】
前記同時転送を遂行するステップは、
前記第１パラメータがTRUEに設定され、前記第２パラメータがFALSEに設定されれば、前記ＰＵＣＣＨフォーマット２／２ａ／２ｂで前記ＨＡＲＱ ＡＣＫ／ＮＡＣＫとＣＳＩとの同時転送を遂行する、請求項１に記載の方法。
【請求項５】
前記同時転送を遂行するステップは、
前記第１パラメータがTRUEに設定され、前記第２パラメータがTRUEに設定されれば、前記ＰＵＣＣＨフォーマット３で前記ＨＡＲＱ ＡＣＫ／ＮＡＣＫとＣＳＩとの同時転送を遂行する、請求項１に記載の方法。
【請求項６】
送受信ポイントでアップリンク制御チャンネルを受信する方法であって、
端末にＰＵＣＣＨフォーマット２／２ａ／２ｂで単一ＨＡＲＱ ＡＣＫ／ＮＡＣＫとＣＳＩとの同時転送を指示する第１パラメータを上位階層により転送するステップと、
前記端末にＰＵＣＣＨフォーマット３で多重ＨＡＲＱ ＡＣＫ／ＮＡＣＫとＣＳＩとの同時転送を指示する第２パラメータを上位階層により転送するステップと、
前記端末のデュプレックスモードがＦＤＤであり、前記端末に搬送波集合化が構成されており、ＰＵＣＣＨフォーマット３が構成されており、前記第１パラメータ及び前記第２パラメータのうち、少なくとも一つがTRUEに設定されれば、前記第１パラメータと前記第２パラメータとの設定の組み合わせによって前記ＰＵＣＣＨフォーマット２／２ａ／２ｂ及び前記ＰＵＣＣＨフォーマット３のうちの一つでＨＡＲＱ ＡＣＫ／ＮＡＣＫとＣＳＩとの同時転送を遂行するＰＵＣＣＨを受信するステップと、
を含む方法。
【請求項７】
前記ＰＵＣＣＨを受信するステップは、
前記第２パラメータがTRUEに設定され、前記ＨＡＲＱ ＡＣＫ／ＮＡＣＫが多重ＨＡＲＱＡＣＫ／ＮＡＣＫであれば、前記ＰＵＣＣＨフォーマット３で前記ＨＡＲＱ ＡＣＫ／ＮＡＣＫとＣＳＩとの同時転送を遂行するＰＵＣＣＨを受信する、請求項６に記載の方法。
【請求項８】
前記ＰＵＣＣＨを受信するステップは、
前記第１パラメータがTRUEに設定され、前記ＨＡＲＱ ＡＣＫ／ＮＡＣＫが単一ＨＡＲＱＡＣＫ／ＮＡＣＫであれば、前記ＰＵＣＣＨフォーマット２／２ａ／２ｂで前記ＨＡＲＱ ＡＣＫ／ＮＡＣＫとＣＳＩとの同時転送を遂行するＰＵＣＣＨを受信する、請求項６に記載の方法。
【請求項９】
前記ＰＵＣＣＨを受信するステップは、
前記第１パラメータがTRUEに設定され、前記第２パラメータがFALSEに設定されれば、前記ＰＵＣＣＨフォーマット２／２ａ／２ｂで前記ＨＡＲＱ ＡＣＫ／ＮＡＣＫとＣＳＩとの同時転送を遂行するＰＵＣＣＨを受信する、請求項６に記載の方法。
【請求項１０】
前記ＰＵＣＣＨを受信するステップは、
前記第１パラメータがTRUEに設定され、前記第２パラメータがTRUEに設定されれば、前記ＰＵＣＣＨフォーマット３で前記ＨＡＲＱ ＡＣＫ／ＮＡＣＫとＣＳＩとの同時転送を遂行するＰＵＣＣＨを受信する、請求項６に記載の方法。
【発明の詳細な説明】
【技術分野】
【０００１】
本開示は、搬送波併合（carrier aggregation）下でのユーザ端末におけるアップリンク制御チャネルに対する転送及び多重化方法とサウンディング参照信号を多重化することに関連する。
【発明の概要】
【課題を解決するための手段】
【０００２】
少なくとも１つの実施形態によれば、ＰＵＣＣＨ(physical uplink control channel)フォーマット３で構成されたユーザ端末のアップリンク制御チャネルを転送する方法が提供される。方法は、第１パラメータを上位階層により送受信ポイントから受信し、第１パラメータは、ＰＵＣＣＨフォーマット２／２ａ／２ｂを用いてＰＵＣＣＨに単一ＨＡＲＱ（Hybrid automatic repeat request）ＡＣＫ／ＮＡＣＫ（Acknowledgement／negative-acknowledgement）とＣＳＩ（Channel state information）の同時転送を指示し、第２パラメータを上位階層により送受信ポイントから受信し、第２パラメータは、ＰＵＣＣＨフォーマット３を用いてＰＵＣＣＨに多重ＨＡＲＱＡＣＫ／ＮＡＣＫとＣＳＩとの同時転送を指示し、かつ、第１パラメータと第２パラメータの設定に応じて、ＰＵＣＣＨフォーマット２／２ａ／２ｂおよびＰＵＣＣＨフォーマット３を用いたＰＵＣＣＨにＨＡＲＱＡＣＫ／ＮＡＣＫとＣＳＩの同時転送をすることを含む。
【０００３】
少なくとも１つの実施形態によれば、送受信ポイントのアップリンク制御チャネルを受信する方法が提供される。方法は、第１パラメータを、関連する上位階層によりユーザ端末に送信し、第１パラメータは、ＰＵＣＣＨフォーマット２／２ａ／２ｂを用いて単一ＨＡＲＱＡ／ＮとＣＳＩとの同時転送を指示し、第２パラメータを、関連する上位階層によりユーザ端末に送信し、第２パラメータは、ＰＵＣＣＨフォーマット３を用いて多重ＨＡＲＱＡＣＫ／ＮＡＣＫとＣＳＩとの同時転送を指示し、かつ、ユーザ端末がＰＵＣＣＨフォーマット３で構成されている場合、第１パラメータ及び第２パラメータ各々の設定に応じてＰＵＣＣＨフォーマット２／２ａ／２ｂおよびＰＵＣＣＨフォーマット３を用いてＨＡＲＱＡＣＫ／ＮＡＣＫとＣＳＩとの同時転送をするＰＵＣＣＨを受信することを含む。
【０００４】
少なくとも１つの実施形態によれば、ＰＵＣＣＨフォーマット３で構成されるユーザ端末が提供される。ユーザ端末は、受信部及び送信部を含む。受信部は、第１パラメータ上位階層により送受信ポイントから受信し、第１パラメータは、ＰＵＣＣＨフォーマット２／２ａ／２ｂを用いてＰＵＣＣＨに単一ＨＡＲＱＡ／ＮとＣＳＩとの同時転送を指示する。受信部は、第２パラメータを上位階層により送受信ポイントから受信し、第２パラメータは、ＰＵＣＣＨフォーマット３を用いてＰＵＣＣＨに多重ＨＡＲＱＡＣＫ／ＮＡＣＫとＣＳＩとの同時転送を指示する。送信部は、第１パラメータ及び第２パラメータの設定に応じて、ＰＵＣＣＨフォーマット２／２ａ／２ｂおよびＰＵＣＣＨフォーマット３を用いたＰＵＣＣＨにＨＡＲＱＡＣＫ／ＮＡＣＫとＣＳＩとの同時転送をする。
【０００５】
少なくとも１つの実施形態によれば、送受信ポイントが提供される。送受信ポイントは送信部及び受信部を含む。送信部は、第１パラメータを上位階層によりユーザ端末に転送し、第１パラメータは、ＰＵＣＣＨフォーマット２／２ａ／２ｂを用いて単一ＨＡＲＱＡＣＫ／ＮＡＣＫとＣＳＩとの同時転送を指示するする。送信部は、第２パラメータを上位階層により端末に転送し、第２パラメータは、ＰＵＣＣＨフォーマット３を用いて多重ＨＡＲＱＡＣＫ／ＮＡＣＫとＣＳＩとの同時転送を指示する。受信部は、ユーザ端末がＰＵＣＣＨフォーマット３で構成されている場合、第１パラメータ及び第２パラメータの設定に応じて、ＰＵＣＣＨフォーマット２／２ａ／２ｂおよびＰＵＣＣＨフォーマット３を用いてＨＡＲＱＡＣＫ／ＮＡＣＫとＣＳＩとの同時転送をするＰＵＣＣＨを受信する。
【図面の簡単な説明】
【０００６】
【図１】少なくとも一実施形態が適用される無線通信システムの一例図
【図２】少なくとも一実施形態に係るＰＵＣＣＨフォーマット２を使用するＨＡＲＱＡＣＫ／ＮＡＣＫとＣＳＩとの同時転送構造を示す図
【図３】少なくとも一実施形態によるＰＵＣＣＨフォーマット３構造を示す図で
【図４】別の一実施形態に係る無線通信システムのアップリンク制御チャネルの送受信方法のフローチャート
【図５】第１パラメータ（（ａ）および（ｂ）に示される）または第２パラメータ（（ｃ）に示される）が含まれるＲＲＣメッセージのうちの１つであるCQI-ReportConfigメッセージの一例図
【図６】少なくとも一実施形態による送受信ポイントの構成を示す図
【図７】少なくとも一実施形態によるユーザ端末の構成を示す図
【発明を実施するための形態】
【０００７】
以下、本発明の例示的な実施形態を添付の図面を通じて詳細に説明する。各図面の構成要素に参照符号を付加するに当たって、同一な構成要素に対しては、たとえ他の図面上に表示されてもできる限り同一な符号を有するようにしていることに留意しなければならない。また、本発明を説明するに当たって、関連した公知構成または機能に対する具体的な説明が本発明の要旨を曖昧にすることがある場合には、その詳細な説明は省略する。
【０００８】
少なくとも１つの実施形態に係る無線通信システムは、音声、パケットデータなどの多様な通信サービスを提供するために広く使用されている。無線通信システムは、ユーザ端末（User Equipment：ＵＥ）及び少なくとも１つの送受信ポイント（Transmission／Reception point）を含む。本明細書でのユーザ端末は無線通信での端末を意味する包括的概念であって、ＷＣＤＭＡ（登録商標）(wideband code division multiple access)及びＬＴＥ(long term evolution)、ＨＳＰＡなどでのＥ（User Equipment）は勿論、ＧＳＭ（登録商標）でのＭＳ（Mobile Station）、ＵＴ（User Terminal）、ＳＳ（Subscriber Station）、無線機器（wireless device）などを全て含む概念として解釈されるべきである。
【０００９】
送受信ポイントは一般的にユーザ端末と通信する地点（station）をいい、基地局（Base Station：ＢＳ）またはセル（cell）、ノード−Ｂ（Node-B）、ｅＮＢ（evolved Node-B）、セクター（Sector）、サイト（Site）、ＢＴＳ（Base Transceiver System）、アクセスポイント（Access Point）、リレーノード（Relay Node）、ＲＲＨ（Remote Radio Head）、ＲＵ（Radio Unit）、アンテナなど、他の用語として呼ばれることができる。
【００１０】
即ち、本明細書で送受信ポイントまたは基地局、セル（cell）は、ＣＤＭＡ（code division multiple access）でのＢＳＣ（Base Station Controller）、ＷＣＤＭＡ（登録商標）のＮｏｄｅＢ、ＬＴＥでのｅＮＢまたはセクター（サイト）などがカバーする一部領域または機能を示す包括的な意味として解釈されなければならず、メガセル、マクロセル、マイクロセル、ピコセル、フェムトセル、及びリレーノード（relay node）、ＲＲＨ（Remote Radio Head）、ＲＵ（Radio Unit）通信範囲など、多様なカバレッジ領域を全て包括する意味である。
【００１１】
本明細書でユーザ端末と送受信ポイントは本明細書で記述される技術または技術的思想を具現することに使われる２つ送受信主体であり、包括的な意味として使われて、特定に称される用語または単語により限定されない。また、ユーザ端末と送受信ポイントは、本発明で記述される技術または技術的思想を具現することに使われる２つ（UplinkまたはDownlink）の送受信主体で、包括的な意味として使われて、特定に称される用語または単語により限定されない。ここで、アップリンク（Uplink：ＵＬ）はユーザ端末により基地局にデータを送受信する方式を意味する。また、ダウンリンク（Downlink：ＤＬ）は基地局によりユーザ端末にデータを送受信する方式を意味する。
【００１２】
無線通信システムに適用される多重接続技法にはＣＤＭＡ（Code Division Multiple Access）、ＴＤＭＡ（Time Division Multiple Access）、ＦＤＭＡ（Frequency DivisionMultiple Access）、ＯＦＤＭＡ（Orthogonal Frequency Division Multiple Access）、ＯＦＤＭ−ＦＤＭＡ、ＯＦＤＭ−ＴＤＭＡ、ＯＦＤＭ−ＣＤＭＡなどの多様な多重接続技法を使用することができる。なお、無線通信システムに適用される多重接続技法には制限がない。少なくとも一実施形態は、ＧＳＭ（登録商標）、ＷＣＤＭＡ（登録商標）、ＨＳＰＡを経てＬＴＥ及びＬＴＥ-advancedに進化する非同期無線通信と、ＣＤＭＡ、ＣＤＭＡ−２０００及びＵＭＢに進化する同期式無線通信分野などの資源割り当てに適用できる。本発明は、特定の無線通信分野に限定または制限されて解釈されてはならず、本発明の思想が適用できる全ての技術分野を含むものとして解釈されるべきである。
【００１３】
アップリンク転送及びダウンリンク転送の場合には、ＴＤＤ（Time Division Duplex）方式およびＤＤ（Frequency Division Duplex）方式の少なくとも一つを用することができる。ＴＤＤは、互いに異なる時間を使用してアップリンク／ダウンリンク転送を行う。ＦＤＤは、互いに異なる周波数を使用してアップリンク／ダウンリンク転送を行う。
【００１４】
また、ＬＴＥ、ＬＴＥ−Ａのような規格に準拠するシステムでは１つの搬送波または搬送波の対を基準にアップリンクおよび／またはダウンリンクを構成する。アップリンクおよび／またはダウンリンクの場合、ＰＤＣＣＨ（Physical Downlink Control CHannel）、ＰＣＦＩＣＨ（Physical Control Format Indicator CHannel）、ＰＨＩＣＨ（Physical Hybrid ARQ Indicator CHannel）、ＰＵＣＣＨ（Physical Uplink Control CHannel）などの制御チャネルを介して制御情報を転送する。データは、ＰＤＳＣＨ（Physical Downlink Shared CHannel）、ＰＵＳＣＨ（Physical Uplink Shared CHannel）などのデータチャネルで転送される。    
【００１５】
本明細書におけるセル（cell）は送受信ポイントから転送される信号のカバレッジまたは送受信ポイント（transmission pointまたはtransmission／reception point）から転送される信号のカバレッジを有する要素搬送波（component carrier）、その送受信ポイント自体を意味することができる。本明細書においては、送受信ポイントは、信号を送信する送信ポイント（transmission point）または信号を受信する受信ポイント（reception point）、これらの結合（すなわち、transmission／reception point point）を意味する。
【００１６】
本明細書におけるＨＡＲＱ ＡＣＫ／ＮＡＣＫは、Hybrid automatic repeat request acknowledgement／negative-acknowledgementを意味する。ＣＳＩは、channel state informationの略である。ＣＳＩは、ＲＩ（Rank Indicator）、ＰＭＩ（Precoding Matrix Indicator）、ＣＱＩ（Channel Quality Indicator）のようなチャネル状態情報またはチャネル状態情報レポートを意味する。
【００１７】
図１は、実施形態が適用される無線通信システムの一例を図示する。
【００１８】
図１を参照すると、無線通信システム１００は２つ以上の送受信ポイントが協力して信号を転送する協力型多重ポイント送受信システム（coordinated multi-point transmission／reception System：ＣｏＭＰシステム）または協力型多重アンテナ転送システム（coordinated multi-antenna transmission system）、協力型多重セル通信システムのうちの一つでありうる。ここに、ＣｏＭＰシステム１００は少なくとも２つの送受信ポイント１１０、１１２と端末１２０、１２２を含むことができる。ＣｏＭＰシステムのような無線通信システム１００は、複数の送受信ポイント１１０および１１２、また、少なくとも一つのユーザ端末（ＵＥ）１２０または１２２を含む。
【００１９】
送受信ポイントは、ｅＮＢ １００及びＲＲＨ１１２のうちの１つでありうる。ここに、ｅＮＢ １１０は基地局またはマクロセル（macro cellまたはmacro node）でありうる。ＲＲＨ１１２はｅＮＢ １１０に光ケーブルまたは光ファイバーにより連結されて有線制御される少なくとも１つのピコセル（pico cell）でありうる。また、ＲＲＨ １１２は、マイクロセルリージョンにおいて、高い転送パワーを有するか、またはマクロセル領域内の低い転送パワーを有することができる。送受信ポイント（例えば、ｅＮＢ１１０とＲＲＨ １１２）は同一なセルＩＤ、または互いに異なるセルＩＤを有することができる。
【００２０】
以下、ダウンリンク（downlink：ＤＬ）は、送受信ポイント １１０、１１２からユーザ端末１２０への通信または通信経路を意味する。アップリンク（uplink：ＵＬ）は、ユーザ端末１２０から送受信ポイント １１０、１１２への通信または通信経路を意味する。ダウンリンクにおいて、送信機は、送受信ポイント １１０、１１２の一部分で、受信機は、ユーザ端末１２０、１２２の一部分でありうる。アップリンクにおいて、送信機は、ユーザ端末１２０の一部分で、受信機は送受信ポイント１１０、１１２の一部分でありうる。
【００２１】
以下、ＰＵＣＣＨ、ＰＵＳＣＨ、ＰＤＣＣＨ、及び／またはＰＤＳＣＨなどのチャネルを介して信号が送受信される状況を‘ＰＵＣＣＨ、ＰＵＳＣＨ、ＰＤＣＣＨ、及びＰＤＳＣＨを転送、受信する’と表記することがある。
【００２２】
ｅＮＢ（例えば１１０）は、ユーザ端末（例えば１２０および／または）１２２にダウンリンク転送することができる。ｅＮＢ（例えば１１０）はユニキャスト転送（unicast transmission）のための主物理チャネルである物理ダウンリンク共有チャネル（Physical Downlink Shared Channel：ＰＤＳＣＨ）を転送する。また、ｅＮＢ（例えば１１０）はＰＤＳＣＨの受信に必要とするスケジューリングなどのダウンリンク制御情報及びアップリンクデータチャネル（例えば、物理アップリンク共有チャネル（Physical Uplink Shared Channel：ＰＵＳＣＨ）の転送のためのスケジューリング承認情報を転送するための物理ダウンリンク制御チャネル（Physical Downlink Control Channel：ＰＤＣＣＨ）を転送することができる。以下、各チャネルを介して信号が送受信されることを該当チャネルが送受信されると表現して記載することがある。
【００２３】
第１ユーザ端末１２０（ＵＥ１）は、ｅＮＢ １１０にアップリンク信号を転送することができる。第２ユーザ端末１２２（ＵＥ２）は、送受信ポイント １１０、１１２のうちの１つである例えばＲＲＨ １１２にアップリンク信号を転送することができる。この際、第１ユーザ端末１２０はＲＲＨ１１２にアップリンク信号を転送し、第２ユーザ端末１２２はｅＮＢ １１０にアップリンク信号を転送することができる。図１では、通信システムは２つの端末１２０、１２２を含むものとして図示したが、本発明はこれに限定されるものではない。通信システムは２つ以上の端末を含むことができる。理解の便宜のために、通信システムは２つの端末１２０、１２２を含み、１つの端末はｅＮＢ１１０に、他の端末はＲＲＨ １１２にアップリンク信号を転送するものとして例示的に説明する。
【００２４】
無線通信システムにおいて、ユーザ端末はアップリンク（uplink）転送時、アップリンク復調信号（ＵＬ ＤＭＲＳまたはＵＬ ＤＭ−ＲＳ）を各スロット（slot）に転送するようになる。そのようなＵＬ ＤＭＲＳはデータチャネルの復調のためのチャネル情報を把握するために転送される。ＰＵＳＣＨ（Physical Uplink Shared CHannel）と関連する(associated with)アップリンクＤＭＲＳの場合、各スロットに１つのシンボルに対して参照信号を転送する。ＰＵＣＣＨ（Physical Uplink Control CHannel）と関連するアップリンクＤＭＲＳの場合、ＰＵＣＣＨのタイプによって異なるように転送される。例えば、ＰＵＣＣＨフォーマットがＰＵＣＣＨフォーマット１、ＰＵＣＣＨフォーマット１ａ、ＰＵＣＣＨフォーマット１ｂの１である場合、参照信号は各スロットに３個のシンボルに対して転送される。ＰＵＣＣＨフォーマットがＰＵＣＣＨフォーマット２／２ａ／２ｂおよびＰＵＣＣＨフォーマット３である場合、参照信号は各スロットに２つのシンボルに対して転送される。
【００２５】
ＰＵＣＣＨは、アップリンク制御チャネル（Physical uplink control channel）として使われ、次の表のようにユーザ端末から送る情報の種類によってフォーマットと関連づけられている。＜表１＞はＰＵＣＣＨフォーマットを示す。
【００２６】
【表１】
0006423471.tif 000002
【００２７】
ＰＵＣＣＨフォーマット１、ＰＵＣＣＨフォーマット１ａおよびＰＵＣＣＨフォーマット１ｂは、ＳＲ（scheduling request）及びＨＡＲＱ−ＡＣＫ転送のために使用できる。ＰＵＣＣＨフォーマット２、ＰＵＣＣＨフォーマット２ａおよびＰＵＣＣＨフォーマット２ｂはＣＱＩ（Channel Quality Indicator）、ＰＭＩ（Precoding Matrix Indicator）およびＲＩ（Rank Indication）の転送のために使用できる。ＰＵＣＣＨフォーマット３は多重ＨＡＲＱＡＣＫ／ＮＡＣＫ転送のために使用できる。
【００２８】
各ＰＵＣＣＨに対するフォーマットの種類及びその使用用途に対する説明は、次の通りである。
【００２９】
ＰＵＣＣＨフォーマット１はＳＲ（Scheduling Request）のみを転送するチャネルフォーマットである。ＰＵＣＣＨフォーマット１ａおよびＰＵＣＣＨフォーマット１ｂはＳＲ（Scheduling Request）及び／又はダウンリンクデータチャネルに対するＡＣＫ／ＮＡＣＫを転送するチャネルフォーマットである。ＰＵＣＣＨフォーマット１ａおよびＰＵＣＣＨフォーマット１ｂはＡＣＫ／ＮＡＣＫのビット数及び関連する変調方式（modulation scheme）によって区分される。一方、縮小された（Shortened）ＰＵＣＣＨフォーマット１ａは、最後のＳＣ−ＦＤＭＡシンボルがパンチャリング（puncturing）されたＰＵＣＣＨフォーマット１ａと同じ構造である。また、縮小された（Shortened）ＰＵＣＣＨフォーマット１ｂは、最後のＳＣ−ＦＤＭＡシンボルがパンチャリング（puncturing）されたフォーマット１ｂと同じ構造である。ＰＵＣＣＨフォーマットの一つが選択され、送受信ポイントの関連する上位階層(associated higher layer)により提供されるＲＲＣパラメータ（例えばackNackSRS-SimultaneousTransmission）の値（例えばＴＲＵＥまたはＦＡＬＳＥ）およびＳＲＳのセル−特定のサウンディング参照信号（ＳＳＲＳ）に基づいて使用される。
【００３０】
ＰＵＣＣＨフォーマット２は、ＣＱＩを転送するのに使用されるチャネルフォーマットである。ＰＵＣＣＨフォーマット２ａおよびＰＵＣＣＨフォーマット２ｂは、ＣＱＩ＋ダウンリンクデータチャネルに対するＡＣＫ／ＮＡＣＫを転送するチャネルフォーマットである。ＰＵＣＣＨフォーマット２ａおよび２ｂはＡＣＫ／ＮＡＣＫのビット数及び変調方式によって区分される。
【００３１】
ＰＵＣＣＨフォーマット３はダウンリンク搬送波集合化下で４ビット以上のＡＣＫ／ＮＡＣＫを転送するためのチャネルフォーマットである。縮小されたＰＵＣＣＨフォーマット３は１つのサブフレームの最後のＳＣ−ＦＤＭＡシンボルがパンチャリングされたＰＵＣＣＨフォーマット３と同じ構造を有する。即ち、縮小されたＰＵＣＣＨフォーマット３の最後のＳＣ−ＦＤＭＡシンボルはリソースエレメントがマッピングされない。ＰＵＣＣＨフォーマットの一つは、送受信ポイントの関連する上位階層により提供されるＲＲＣパラメータ（例えば、ackNackSRS-SimultaneousTransmission）の値（ＴＲＵＥまたはＦＡＬＳＥ）の可否とＳＲＳのセル−特定の情報構成により選択され、使用される。
【００３２】
ＬＴＥ通信システムでは、アップリンクに復調参照信号（Demodulation Reference Signal：ＤＭＲＳ、 ＤＭ−ＲＳ）及びサウンディング参照信号（Sounding Reference Signal：ＳＲＳ）が定義されている。また、ダウンリンクに３種類の参照信号（Reference Signal：ＲＳ）が定義されている。３個のダウンリンク参照信号（ＲＳ）はセル−特定の参照信号（Cell-specific Reference Signal：ＣＲＳ）、ＭＢＳＦＮ参照信号（Multicast／Broadcast over Single Frequency Network Reference Signal：ＭＢＳＦＮ−ＲＳ）及びユーザ端末固有の参照信号（UE-specific Reference Signal）である。
【００３３】
アップリンクＳＲＳ（Sounding Reference Signal）は、アップリンク周波数依存的なスケジューリングのためにアップリンクチャネル状態を測定するために使われる。アップリンクＳＲＳ（Sounding Reference Signal）は、ＴＤＤシステムでチャネル可逆性（channel reciprocity）を用いてダウンリンクビームフォーミングのためにアップ／ダウンリンクのチャネル状態を測定することにも使われる。このような場合に、送受信ポイントはＲＲＣパラメータのようなパラメータをユーザ端末１２０に転送する。ユーザ端末１２０はＲＲＣパラメータを受信し、受信されたＲＲＣから所定の情報を抽出し、アップリンクＳＲＳを転送する。例えば、ＳＲＳを生成するためのＲＲＣパラメータはＳＲＳのセル−特定のＳＲＳ帯域（cell specific SRS bandwidth）、転送コム（transmission comb）、ユーザ端末−特定のＳＲＳ帯域（UE-specific SRS bandwidth）、ホッピング関連構成パラメータ、周波数ドメイン位置（frequency domain position）、周期（periodicity）、サブフレーム構成、アンテナ構成、ベースシーケンスインデックス、サイクリックシフトインデックスを含む。転送コムのためのパラメータは２サブキャリアスペーシング（subcarrier spacing）間隔で割り当てられた周波数位置を指定する。例えば、転送コムパラメータは０（even subcarriers）または１（odd subcarriers）値を含む。サブフレーム構成のためのパラメータはどのサブフレームでＳＲＳを転送するべきかを指定する。アンテナ構成のためのパラメータはＳＲＳを転送するアンテナの数及びアンテナポートの数を指定する。ベースシーケンスインデックスのためのパラメータは該当ＳＲＳ生成のためのＳＲＳシーケンスインデックスはＰＵＣＣＨで使用するシーケンスグループナンバーｕとシーケンスホッピング構成によって定まるシーケンスナンバーｖによって決定される。サイクリックシフトインデックスはＳＲＳ生成時に使われる参照信号であり、シーケンスナンバーｖによって決定される。
【００３４】
周期的なＳＲＳに加えて、非周期的ＳＲＳが定義されている。周期的ＳＲＳと類似し、送受信ポイントは非周期的ＳＲＳ生成のために使われる各種パラメータの多様なタイプをＲＲＣパラメータとしてユーザ端末１２０に転送する。転送されるパラメータは非周期的ＳＲＳのユーザ端末−特定のＳＲＳ帯域、転送コム、周波数ドメイン位置、周期、サブフレーム構成、アンテナ構成、ベースシーケンスインデックス、サイクリックシフトインデックスを含む。
【００３５】
また、非周期的ＳＲＳを転送するために任意の送受信ポイントはユーザ端末１２０に動的にＰＤＣＣＨを介して非周期的ＳＲＳの転送を指示する。ユーザ端末１２０はＰＤＣＣＨにより指示され、ＲＲＣパラメータを受信し、アップリンク非周期的ＳＲＳを転送する。
【００３６】
以下、１サブフレーム内にアップリンクＰＵＣＣＨとサウンディング参照信号との同時転送でのユーザ端末の動作について説明する。
【００３７】
まずＰＵＣＣＨとＳＲＳとの同時転送は、ＰＵＣＣＨのフォーマットタイプ及びＳＲＳの種類、例えば周期的ＳＲＳ（例えばタイプ−０ＳＲＳ）、非周期的ＳＲＳ（例えばタイプ−１ ＳＲＳ）に応じて定義される。また、ユーザ端末の動作は、多重要素搬送波の導入を考慮して定義される。
【００３８】
ＳＲＳタイプ（例えば周期的ＳＲＳ及び非周期的ＳＲＳ）とＰＵＣＣＨフォーマットタイプとに対応するユーザ端末の動作方法は、次の通りである。
【００３９】
i）ＰＵＣＣＨフォーマット２、２ａおよび２ｂと周期的ＳＲＳとの同時転送が指示される場合に、ユーザ端末は周期的ＳＲＳを転送しない。
【００４０】
ii）ＡＣＫ／ＮＡＣＫを有するＰＵＣＣＨフォーマット２、２ａおよび２ｂと非周期的ＳＲＳとが同一なサブフレームでトリガーされる場合に、ユーザ端末は非周期的ＳＲＳを転送しない。
【００４１】
iii）ＡＣＫ／ＮＡＣＫを含まないＰＵＣＣＨフォーマット２と非周期的ＳＲＳとが同一なサブフレームでトリガーされる場合に、ユーザ端末はＰＵＣＣＨフォーマット２を転送しない。
【００４２】
iv）ＡＣＫ／ＮＡＣＫとＳＲとの両方または１つを転送するＰＵＣＣＨフォーマットとＳＲＳとが同一なサブフレームで指示される場合に、ackNackSRS-SimulataneousTransmissionがＦＡＬＳＥであれば、ユーザ端末はＳＲＳを転送しない。ackNackSRS-SimulataneousTransmissionパラメータは、関連する上位階層により定義され、ＳＲＳは周期的ＳＲＳと非周期的ＳＲＳとを含む。
【００４３】
v）ＡＣＫ／ＮＡＣＫと正のＳＲの両方または１つを転送する縮小されたＰＵＣＣＨフォーマットとＳＲＳとが同一なサブフレームで同時転送が発生する場合に、ackNackSRS-SimulataneousTransmissionがＴＲＵＥであれば、ユーザ端末は縮小されたＰＵＣＣＨフォーマットとＳＲＳとの両方を転送する。ackNackSRS-SimulataneousTransmissionパラメータは、関連する上位階層により定義され、ＳＲＳは周期的ＳＲＳと非周期的ＳＲＳとを含む。
【００４４】
vi）ユーザ端末は、ノーマルＰＵＣＣＨフォーマットを使用して正のＡＣＫ／ＮＡＣＫと正のＳＲとの両方または１つを転送するＰＵＣＣＨフォーマットと、あるサービングセルでのＳＲＳとが同一なサブフレームで同時転送が指示される場合に、ＳＲＳを転送しない。ＳＲＳは周期的ＳＲＳと非周期的ＳＲＳとを含む。
【００４５】
例えば、ackNackSRS-SimultaneousTransmissionは、ＲＲＣパラメータとして関連する上位階層により提供される。ＲＲＣパラメータは、ＰＵＣＣＨ上にＨＡＲＱ ＡＣＫ／ＮＡＣＫと同一サブフレームでのＳＲＳの同時転送をユーザ端末に指示することを決定することに使われる。１つのサブフレームでＰＵＣＣＨ上にＨＡＲＱＡＣＫ／ＮＡＣＫとＳＲＳとの同時転送をサポートすることに設定されれば、該当サブフレームが第１セル（例えばPrimary cell、primary component carrier、Pcell）観点からのセル−特定のＳＲＳサブフレームの場合に、ユーザ端末は縮小されたＰＵＣＣＨフォーマットを使用してＨＡＲＱＡＣＫ／ＮＡＣＫとＳＲＳとを同時転送する。この際、該当サブフレームでのＳＲＳを転送するか否かに関わらず、縮小されたＰＵＣＣＨフォーマットを使用して転送する。セル−特定のＳＲＳサブフレームでない場合に、ユーザ端末はノーマルＰＵＣＣＨフォーマット１、１ａ、１ｂ、およびノーマルＰＵＣＣＨフォーマット３の一つを使用してＨＡＲＱＡＣＫ／ＮＡＣＫとＳＲＳの転送を遂行する。
【００４６】
以下、１サブフレーム内にアップリンクＰＵＣＣＨにＡＣＫ／ＮＡＣＫと周期的ＣＳＩとの同時転送が考慮される場合のユーザ端末の動作について説明する。
【００４７】
図２は、少なくとも一実施形態において、ＰＵＣＣＨフォーマット２を使用するＨＡＲＱＡＣＫ／ＮＡＣＫとＣＳＩとの同時転送構造を示す図である。
【００４８】
図２の（ａ）を参照すると、ノーマルＣＰの場合、ＰＵＣＣＨフォーマット２でＨＡＲＱＡＣＫ／ＮＡＣＫとＣＳＩとが同時転送される。この場合に、ＣＳＩブロック情報はブロック符号化（block coding）され、ＱＰＳＫを使用して変調される。その結果、１つのサブフレームは１０個のシンボルを含む。最初の５個シンボルは最初のスロットで転送され、残りの５個のシンボルは２番目のスロットで転送される。
【００４９】
スロット当たり７個のＤＦＴＳ−ＯＦＤＭシンボルが存在する。各スロットの７個のＤＦＴＳ−ＯＦＤＭシンボルのうちの２つはアップリンクＤＭ−ＲＳ転送に使われる。ＨＡＲＱＡＣＫ／ＮＡＣＫとＣＳＩとを同時転送する時には、各スロットで２番目のＤＭ−ＲＳシンボルがＨＡＲＱＡＣＫ／ＮＡＣＫにより変調される。フィードバックされる情報が１つまたは２つのＨＡＲＱ ＡＣＫ／ＮＡＣＫビットか否かによってＢＰＳＫまたはＱＰＳＫ変調が使われる。各スロットの５個シンボルで転送される各々のＱＰＳＫシンボルとＤＭ−ＲＳシンボルのうち、ＨＡＲＱＡＣＫ／ＮＡＣＫにより変調された２番目のシンボルには、サイクリックシフトされた長さ１２のセル−特定のシーケンスが乗ぜられる。その結果が該当ＤＦＴＳ−ＯＦＤＭシンボルに転送される。
【００５０】
図２の（ｂ）を参照すると、スロット当たり６個のＤＦＴＳ−ＯＦＭＳシンボルがある拡張ＣＰ（extended cyclic prefix）の場合、同一な構造が使われる。しかしながら、各スロットはアップリンクＤＭ−ＲＳシンボルが２つでなく１つのみ含む。ＣＳＩ転送情報とＨＡＲＱＡＣＫ／ＮＡＣＫはブロック符号化（block coding）され、ＱＰＳＫ変調スキームを使用して変調される。その結果、各サブフレームは１０個のシンボルを含む。最初の５個のシンボルは最初のスロットで転送され、残りの５個のシンボルは２番目のスロットで転送される。各スロットの５個のシンボルで転送される各々のＱＰＳＫシンボルには、サイクリックシフトされた長さ１２のセル−特定のシーケンスが乗ぜられる。その結果が該当ＤＦＴＳ−ＯＦＤＭシンボルに転送される。
【００５１】
例えば、simultaneousAckNackAndCQIパラメータは、ＲＲＣパラメータとして、関連する上位階層で提供される。ＲＲＣパラメータは同一サブフレームでのＨＡＲＱ ＡＣＫ／ＮＡＣＫと周期的ＣＳＩとの同時転送のをユーザ端末に指示することを決定するためのパラメータである。１つのサブフレームでＨＡＲＱＡＣＫ／ＮＡＣＫと周期的ＣＳＩとの同時転送を構成するように設定されれば、ユーザ端末は該当サブフレームでＰＵＣＣＨフォーマット２ａおよび２ｂを用いてＨＡＲＱＡＣＫ／ＮＡＣＫと周期的ＣＳＩとを同時転送できるようになる。
【００５２】
図３は、少なくとも一実施形態によるＰＵＣＣＨフォーマット３の構造を示す図である。
【００５３】
図３を参照すると、ＰＵＣＣＨフォーマット３の基本はアップリンク共通チャネル（ＵＬ−ＳＣＨ）に対して使われる同一な転送方法であるDFT-precoded OFDMである。ダウンリンク要素搬送波当たり１つまたは２つのＨＡＲＱＡＣＫ／ＮＡＣＫビットはＳＲ（Scheduling Request）が存在する場合、ＳＲ（Scheduling Request）ビットと連結される。
【００５４】
ＰＵＣＣＨフォーマット３では、転送情報はブロック符号化（block coding）され、セル−特定のスクランブリングシーケンスにより４８ビットにスクランブリングされる。４８ビットはＱＰＳＫ変調され、各々１２個のＱＰＳＫシンボルの２つのグループに分けられる。
【００５５】
ノーマルＣＰの場合には、各々１２個のＱＰＳＫシンボルは、各スロットの５個シンボルで転送され、アップリンクＤＭ−ＲＳは各スロットの２つのシンボルで転送される。
【００５６】
各スロットの５個のシンボルで転送される各々のＱＰＳＫシンボルには、サイクリックシフトされた長さ１２のセル−特定にシーケンスが乗ぜられる。その結果は該当DFT-precoded OFDMシンボルに転送される。５個のＯＦＤＭシンボルそれぞれ一には、長さ５の直交シーケンス（length-5 orthogonal sequence）が乗ぜられる。この際、各スロット当たり同一な長さ５の直交シーケンスを使用することもでき、各スロットに異なる長さ５の直交シーケンスを使用することもできる。
【００５７】
スロット当たり６個のＤＦＴＳ−ＯＦＭＳシンボルがある拡張ＣＰの場合には、同一な構造が使われる。しかしながら、各スロット当たりアップリンクＤＭ−ＲＳシンボルが２つでなく、１つのみ存在する。
【００５８】
ダウンリンク搬送波集合化（Downlink carrier aggregation）で多重ＨＡＲＱ ＡＣＫ／ＮＡＣＫビットは多重要素搬送波の上に同時転送を行う場合にフィードバックされる必要がある。ユーザ端末はＰＵＣＣＨフォーマット３をサポートする必要がある時、２つ以上のダウンリンク要素搬送波を使用することができる。即ち、ＨＡＲＱＡＣＫ／ＮＡＣＫに対して４ビット以上を使用することができるユーザ端末はＰＵＣＣＨフォーマット３をサポートする必要がある。
【００５９】
例えば、simultaneousAckNackAndCQI-Format3-r11パラメータは、ＲＲＣパラメータとして、関連する上位階層で提供できる。simultaneousAckNackAndCQI-Format3-r11パラメータは、ユーザ端末がＰＵＣＣＨフォーマット３の上に同一サブフレームでのＨＡＲＱ ＡＣＫ／ＮＡＣＫと周期的ＣＳＩとの同時転送の構成を決定するパラメータである。simultaneousAckNackAndCQI-Format3-r11により、ユーザ端末が、１つのサブフレームでＨＡＲＱ ＡＣＫ／ＮＡＣＫと周期的ＣＳＩとの同時転送を構成するように設定されれば、ユーザ端末は、対応するサブフレームでＰＵＣＣＨフォーマット３を用いてＨＡＲＱＡＣＫ／ＮＡＣＫと周期的ＣＳＩとを同時転送できるようになる。
【００６０】
図２及び図３を参照すると、ユーザ端末が、送受信ポイントからＰＵＣＣＨフォーマット３を構成できるように設定されており、ＰＵＣＣＨフォーマット３の上に周期的ＣＳＩとＨＡＲＱＡＣＫ／ＮＡＣＫをユーザ端末が同時転送するように設定する新たなＲＲＣパラメータ、simultaneousAckNackAndCQI-Format3-r11が定義される場合に、新たなパラメータsimultaneousAckNackAndCQI-Format3-r11のに従うユーザ端末の動作が要求される。また、この場合に既に存在していたsimultaneousAckNackAndCQIの設定と新しく導入されたsimultaneousAckNackAndCQI-Format3-r11を設定するか否かによってユーザ端末の動作において曖昧性（ambiguity）の問題が発生することがある。また、新しく定義されたパラメータと既存パラメータとの組み合せに対してユーザ端末の新たな動作が定義される必要がある。
【００６１】
ＴＤＤ（Time Division Duplex）の場合にはＦＤＤ（Frequency Division Duplex）とは異なり、ユーザ端末が搬送波集合化の環境でない単一セル（single cell）で構成（configuration）されている場合にも該当ＰＵＣＣＨフォーマット３を通じてＨＡＲＱＡＣＫ／ＮＡＣＫ転送を遂行することができる。したがって、ユーザ端末の動作において前述した２つのパラメータ設定により端末の曖昧性（ambiguity）の問題が発生することがある。
【００６２】
追加的に、ＰＵＣＣＨフォーマット２ａおよび２ｂの場合には、ＳＲＳ転送との同時転送が許容されない。ＰＵＣＣＨフォーマット３の場合には、ノーマルＰＵＣＣＨフォーマット３でない縮小されたＰＵＣＣＨフォーマット３で構成される場合には、ＳＲＳの同時転送は許容される。したがって、ＳＲＳの同時転送を考慮する方法に対する端末動作の定義が必要となる。
【００６３】
本発明の少なくとも一実施形態によれば、本発明は搬送波集合化下でのユーザ端末からアップリンクで転送するアップリンク制御チャネルに対する転送及び多重化の方法及びその装置を提供する。また、少なくとも一実施形態によれば、アップリンク制御チャネルとサウンディング参照信号を多重化する方法及び装置を提供する。
【００６４】
具体的に、少なくとも一実施形態に係る方法および装置は、アップリンクＨＡＲＱＡＣＫ／ＮＡＣＫと周期的ＣＳＩとを含む制御チャネルの転送において、既に存在している第１パラメータの設定と新しく定義される第２パラメータを設定するか否かによって端末動作の曖昧性（ambiguity）の問題を解決することができる。例えば、既に存在している第１パラメータはsimultaneousAckNackAndCQIであり、新しく定義される第２パラメータはsimultaneousAckNackAndCQI-Format3-r11でありうる。また、少なくとも一実施形態に係る方法および装置は、既存の第１パラメータ（simultaneousAckNackAndCQI）と新しく定義される第２パラメータ（simultaneousAckNackAnd CQI-Format3-r11）との組み合せに従うユーザ端末の動作を提供する。また、少なくとも一実施形態に係る方法および装置は、ユーザ端末の新たな追加的な動作を定義するに当たって、ＳＲＳの同時転送を考慮するユーザ端末の動作を提供する。
【００６５】
図４は、他の実施形態に係る無線通信システムのアップリンク制御チャネルの送受信方法のフローチャートである。
【００６６】
図４を参照すると、無線通信システムは、第１送受信ポイント １１０と第２送受信ポイント１２０、少なくとも１つの特定端末（１２０および１２２）を含む。ステップＳ４１０で、第１パラメータが送受信される。第１パラメータはＰＵＣＣＨフォーマット２、２ａおよび２ｂを用いて単一ＨＡＲＱＡ／ＮとＣＳＩとの同時転送を指示する。ステップＳ４２０で、第２パラメータが送受信される。第２パラメータはＰＵＣＣＨフォーマット３を用いて多重ＨＡＲＱＡＣＫ／ＮＡＣＫとＣＳＩとの同時転送を指示する。ステップＳ４３０で、ＰＵＣＣＨを介してのＨＡＲＱＡＣＫ／ＮＡＣＫとＣＳＩとの同時転送がＰＵＣＣＨフォーマット２／２ａ／２ｂおよびＰＵＣＣＨフォーマット３を用いて遂行される。ステップＳ４１０及びＳ４２０で、第１パラメータ及び第２パラメータは、互いに異なる上位階層シグナリング、例えばＲＲＣシグナリング（例えば、ＲＲＣメッセージ）により転送できる。この場合に、ステップＳ４１０及びＳ４２０は独立して遂行されることができる。第１パラメータと第２パラメータとが同一なＲＲＣメッセージに含まれて転送される場合、１つのステップとして遂行されることもできる。
【００６７】
第１送受信ポイント １１０の観点においては、ステップＳ４１０で第１送受信ポイント１１０は第１パラメータを関連する上位階層によりユーザ端末（１２０および１２２）の少なくとも一つに転送する。ステップＳ４２０で、第１送受信ポイント１１０は第２パラメータを関連する階層によりユーザ端末（１２０および１２２）の少なくとも一つに転送する。ステップＳ４３０で、第１送受信ポイント１１０は第１パラメータ及び第２パラメータの各々の設定によってＨＡＲＱ ＡＣＫ／ＮＡＣＫとＣＳＩとの同時転送を遂行することができるＰＵＣＣＨフォーマット２、２ａおよび２ｂの一つおよびＰＵＣＣＨフォーマット３を用いてＨＡＲＱＡＣＫ／ＮＡＣＫとＣＳＩとの同時転送を遂行するＰＵＣＣＨを受信する。
【００６８】
ユーザ端末の観点においては、ステップＳ４１０でユーザ端末（１２０または１２２）は第１パラメータを関連する上位階層により第１送受信ポイント１１０から受信する。ステップＳ４２０で、ユーザ端末（１２０または１２２）は第２パラメータを関連する上位階層により第１送受信ポイント１１０から受信する。ステップＳ４３０で、ユーザ端末（１２０または１２２）は第１パラメータ及び第２パラメータの各々の設定によってＰＵＣＣＨフォーマット２、２ａ、２ｂおよびＰＵＣＣＨフォーマット３のうちの１つを用いてＨＡＲＱＡＣＫ／ＮＡＣＫとＣＳＩとの同時転送を第１送受信ポイント １１０または第２送受信ポイント１１２に対して遂行することができる。
【００６９】
第２送受信ポイントの関連、第２送受信ポイントは、ステップＳ４１０で、第１パラメータ及び第２パラメータの各々の設定によってＨＡＲＱＡＣＫ／ＮＡＣＫとＣＳＩとの同時転送を遂行することができるＰＵＣＣＨフォーマット２、２ａおよび２ｂの一つおよびＰＵＣＣＨフォーマット３を用いてユーザ端末（１２０または１２２）からＨＡＲＱＡＣＫ／ＮＡＣＫとＣＳＩとの同時転送を遂行するＰＵＣＣＨを受信する。
【００７０】
少なくとも一実施形態において、第１パラメータは図２に示すsimultaneousAckNackAndCQIである。第２パラメータは、図３に示すsimultaneousAckNackAndCQI-Format3-r11である。しかしながら、本発明はこれに限定されるものではない。図５は、第１パラメータ（図５の（ａ）および（ｂ）に示されている）または第２パラメータ（図５の（ｃ）に示されている）が含まれたＲＲＣメッセージのうちの１つであるCQI-ReportConfigメッセージの例である。
【００７１】
図５で、第１パラメータ（simultaneousAckNackAndCQI）は、選択的（ optional ）でないので、０または１に設定することができる。第２パラメータ（simultaneousAckNackAndCQI-Format3-r11）は選択的であるので、ｘまたは１に設定することができる。第２パラメータは、対応するＩＥが選択的な場合またはＩＥが存在しない場合にｘに設定される。、ＩＥが存在する間、第２パラメータが設定される場合、 第２パラメータ（simultaneousAckNackAndCQI-Format3-r11）は、ＩＥが存在しない場合から異なるように必要がない。したがって、関数、ENUMERATEDを使用する。
【００７２】
ステップＳ４１０及びステップＳ４２０で、第１送受信ポイント１１０から設定される第１及び第２パラメータの設定（configuration）は、以下の＜表２＞の通りである。
【００７３】
【表２】
0006423471.tif 000003
【００７４】
第１パラメータ（例えば、simultaneousAckNackAndCQI）及び第２パラメータ（例えば、simultaneousAckNackAndCQI-Format3-r11）の各々の設定によってＰＵＣＣＨフォーマット２、２ａ、２ｂおよびＰＵＣＣＨフォーマット３のうちの１つを用いてＨＡＲＱ ＡＣＫ／ＮＡＣＫとＣＳＩとの同時転送を遂行する場合は区分されて遂行できる。以下、同時転送を遂行する各場合を説明する。
【００７５】
ＦＤＤがデュプレックスモードであり、ユーザ端末が１つ以上のセルで構成され、ＰＵＣＣＨフォーマット３で構成された場合、ＨＡＲＱＡＣＫ／ＮＡＣＫとＣＳＩとの同時転送を遂行するステップＳ４３０で、ユーザ端末（１２０または１２２）は、次の条件が成り立つならば、ＰＵＣＣＨフォーマット３を用いてＰＵＣＣＨにＨＡＲＱＡＣＫ／ＮＡＣＫとＣＳＩとの同時転送を遂行することができる。i)第２パラメータ（例えばsimultaneousAckNackAndCQI-Format3-r11）がＴＲＵＥに設定され、ii)ＨＡＲＱＡＣＫ／ＮＡＣＫが多重ＨＡＲＱ ＡＣＫ／ＮＡＣＫである。
【００７６】
ＦＤＤがデュプレックスモードであり、ユーザ端末が１つ以上のセルで構成され、ＰＵＣＣＨフォーマット３で構成された場合、ＨＡＲＱＡＣＫ／ＮＡＣＫとＣＳＩとの同時転送を遂行するステップＳ４３０で、ユーザ端末（１２０または１２２）は、次の条件が成り立つならば、ＰＵＣＣＨフォーマット２、２ａおよび２ｂを用いてＰＵＣＣＨにＨＡＲＱＡＣＫ／ＮＡＣＫとＣＳＩとの同時転送を遂行することができる。i)第２パラメータ（例えばsimultaneousAckNackAndCQI-Format3-r11）がＴＲＵＥに設定され、第１パラメータ（例えばsimultaneousAckNackAndCQI）がＴＲＵＥに設定され、ＨＡＲＱ ＡＣＫ／ＮＡＣＫが単一ＨＡＲＱＡＣＫ／ＮＡＣＫである。
【００７７】
ＴＤＤがデュプレックスモードであり、ユーザ端末が単一セルで構成され、ＰＵＣＣＨフォーマット３で構成された場合、ＨＡＲＱＡＣＫ／ＮＡＣＫとＣＳＩとの同時転送を遂行するステップＳ４３０で、ユーザ端末（１２０または１２２）は、次の条件が成り立てば、ＰＵＣＣＨフォーマット３を用いてＰＵＣＣＨにＨＡＲＱＡＣＫ／ＮＡＣＫとＣＳＩとの同時転送を遂行することができる。i)第２パラメータ（例えばsimultaneousAckNackAndCQI-Format3-r11）がＴＲＵＥに設定され、ii)ＨＡＲＱＡＣＫ／ＮＡＣＫが多重ＨＡＲＱ ＡＣＫ／ＮＡＣＫである。この際、第１パラメータ（例えばsimultaneousAckNackAndCQI）の設定はＴＲＵＥまたはＦＡＬＳＥでありうる。
【００７８】
ＦＤＤがデュプレックスモードの場合、ＨＡＲＱ ＡＣＫ／ＮＡＣＫとＣＳＩとの同時転送を遂行するステップＳ４３０で、ユーザ端末（１２０または１２２）は、次の条件が成り立てば、ＰＵＣＣＨフォーマット２、２ａおよび２ｂを用いてＰＵＣＣＨにＨＡＲＱＡＣＫ／ＮＡＣＫとＣＳＩとの同時転送を遂行することができる。i)第１パラメータ（例えばsimultaneousAckNackAndCQI）がＴＲＵＥに設定され、ii)第２パラメータ（例えばsimultaneousAckNackAndCQI-Format3-r11）がＦＡＬＳＥに設定されている。
【００７９】
以下、ステップＳ４１０及びステップＳ４２０で、第１送受信ポイント １１０から設定される第１及び第２パラメータの設定／構成に従い、ＨＡＲＱ ＡＣＫ／ＮＡＣＫとＣＳＩとの同時転送を遂行するステップＳ４３０でユーザ端末の細部動作が異なることがある。ユーザ端末の具体的な動作は、次の通りである。理解の便宜のために、新しく定義された第２パラメータ（例えばsimultaneousAckNackAndCQI-Format3-r11パラメータ）により多重ＨＡＲＱＡＣＫ／ＮＡＣＫと周期的ＣＳＩとの同時転送を遂行するユーザ端末をＲｅｌ−１１ユーザ端末という。第２パラメータ（例えばsimultaneousAckNackAndCQI-Format3-r11パラメータ）を指示できる送受信ポイントをＲｅｌ−１１送受信ポイントという。また、既存の第１パラメータ（例えばsimultaneousAckNackAndCQI）によりＰＵＣＣＨフォーマット２、２ａおよび２ｂで単一ＨＡＲＱＡＣＫ／ＮＡＣＫと周期的ＣＳＩ同時転送を遂行するユーザ端末をＲｅｌ−１０ユーザ端末という。
【００８０】
１）第１パラメータ（例えばsimultaneousAckNackAndCQI）と第２パラメータ（例えばsimultaneous AckNackAndCQI-Format3-r11）がＴＲＵＥに設定される場合、ユーザ端末の動作は次の通りである。
【００８１】
ユーザ端末の動作は、次の通り定義される。ＦＤＤの場合において、Ｒｅｌ−１１ユーザ端末に搬送波集合化が構成されており、ＰＵＣＣＨフォーマット３で構成されている場合、Ｒｅｌ−１１ユーザ端末は、Ｒｅｌ−１１送受信ポイントからの第２パラメータ（例えば、simultaneousAckNackAndCQI-Format3-r11）によりＰＵＣＣＨフォーマット３を使用して多重ＨＡＲＱＡＣＫ／ＮＡＣＫと周期的ＣＳＩとを同時転送するように設定する。また、Ｒｅｌ−１１ユーザ端末は、第２パラメータ（例えば、simultaneousAckNackAndCQI-Format3-r11）の設定により既存のＲＲＣパラメータ（例えば、第１パラメータsimultaneousAckNackAndCQI）の設定を無視（例えば上書き（override））するように設定される。既存のＲＲＣパラメータは、既に存在しているＰＵＣＣＨフォーマット２、２ａおよび２ｂで単一ＨＡＲＱＡＣＫ／ＮＡＣＫと周期的ＣＳＩ同時転送の設定を指示するパラメータである。
【００８２】
しかしながら、Ｒｅｌ−１１送受信ポイントがＲｅｌ−１０ユーザ端末に第２パラメータ（例えば、simultaneousAckNackAndCQI-Format3-r11）に従う動作を指示してもＲｅｌ−１０ユーザ端末はこれを認知できない。したがって、Ｒｅｌ−１１送受信ポイントは第１パラメータ（例えばsimultaneousAckNackAnd CQI）をＴＲＵＥに設定し、Ｒｅｌ−１０ユーザ端末がＰＵＣＣＨフォーマット２、２ａおよび２ｂを通じてのＨＡＲＱＡＣＫ／ＮＡＣＫと周期的ＣＳＩとを同時転送できるようにするために第１パラメータをＲｅｌ−１０ユーザ端末に転送する。
【００８３】
追加的に、Ｒｅｌ−１１ユーザ端末に搬送波集合化が構成されており、ＰＵＣＣＨフォーマット３で構成されているが、第１セル（例えば、primary cell、Pcell、主要素搬送波）と第２セル（例えば、secondary cells、Scells、副要素搬送波）に転送されるＡＣＫ／ＮＡＣＫが単一ＨＡＲＱ ＡＣＫ／ＮＡＣＫの場合には、Ｒｅｌ−１１ユーザ端末は、一般的に、ＰＵＣＣＨフォーマット３を使用することができないことがある。即ち、単一ＡＣＫ／ＮＡＣＫと周期的ＣＳＩとを転送する場合に、第１パラメータ（例えば、simultaneousAckNackAndCQI）がＴＲＵＥで構成されているので、ユーザ端末は、関連する動作構成によってＰＵＣＣＨフォーマット２、２ａおよび２ｂを通じてＨＡＲＱＡＣＫ／ＮＡＣＫと周期的ＣＳＩとを転送することができる。この場合に、Ｒｅｌ−１０ユーザ端末はＲｅｌ−１１送受信ポイントから指示される第２パラメータ（例えば、simultaneousAckNackAndCQI-Format3-r11）の設定を、第１パラメータ（simultaneousAckNackAndCQI）の設定により無視（上書き）するように構成することができる。しかしながら、本発明はこれに限定されるものではない。
【００８４】
他の実施形態によれば、Ｒｅｌ−１１ユーザ端末に搬送波集合化が構成されており、ＰＵＣＣＨフォーマット３で構成されている場合、Ｒｅｌ−１１ユーザ端末は第２パラメータ（例えば、simultaneousAckNackAndCQI-Format3-r11）により同一な動作が遂行されるように構成できる。即ち、Ｒｅｌ−１１ユーザ端末は第１セル（例えば、primary cell）と第２セル（例えば、secondary cells）に転送されるＡＣＫ／ＮＡＣＫが‘単一（single）’か‘多重（multiple）’かに関わらず、ＰＵＣＣＨフォーマット３を使用して単一または多重ＨＡＲＱ ＡＣＫ／ＮＡＣＫと周期的ＣＳＩとを同時転送するように構成される。
【００８５】
ＦＤＤとは異なり、ＴＤＤの場合において、ユーザ端末が搬送波集合化の構成でない単一セル構成の場合であっても、多重ＨＡＲＱＡＣＫ／ＮＡＣＫの転送が必要である。この場合において、端末の動作は次の通り定義できる。ＴＤＤ及び単一セル構成が具現されたＲｅｌ−１１ユーザ端末にＰＵＣＣＨフォーマット３で構成されている場合、Ｒｅｌ−１１ユーザ端末はダウンリンク割り当てインデックス（downlink assignment index）の値が１以上の場合（即ち、該当関連ＨＡＲＱＡＣＫ／ＮＡＣＫを転送しなければならないダウンリンクサブフレームが多重の場合）であり、第２パラメータ（例えば、simultaneousAckNackAndCQI-Format3-r11）がＴＲＵＥに設定されていれば、ＰＵＣＣＨフォーマット３を使用して多重ＨＡＲＱＡＣＫ／ＮＡＣＫ転送と周期的ＣＳＩ転送を遂行することができるように構成される。
【００８６】
一方、ＨＡＲＱ ＡＣＫ／ＮＡＣＫと周期的ＣＳＩとの同時転送はＳＲＳの転送と関連することができる。まず、ユーザ端末の動作はＳＲＳが周期的ＳＲＳ（または、トリガータイプ０）か非周期的ＳＲＳ（または、トリガータイプ１）かを区分せず、ＲＲＣパラメータの設定（第１パラメータ（例えば、simultaneousAckNackAndCQI））及び第２パラメータ（例えば、simultaneousAckNackAndCQI- Format3-r11）により説明される。
【００８７】
少なくとも１つの実施形態によれば、ユーザ端末の動作はＳＲＳ転送の頻繁なドロップ（drop）を防止するために縮小されたＰＵＣＣＨフォーマット３を使用して単一または多重ＨＡＲＱＡＣＫ／ＮＡＣＫと周期的ＣＳＩ、そしてＳＲＳの同時転送のために定義できる。このようなユーザ端末は、送受信ポイントによりユーザ端末にわりあてられるサブフレームがセル−特定のＳＲＳサブフレームで構成され、第３パラメータ（例えば、ackNackSRS-SimulataneousTransmission）がＴＲＵＥに設定される場合、縮小されたＰＵＣＣＨフォーマット３を使用して単一または多重ＨＡＲＱＡＣＫ／ＮＡＣＫとＳＲＳとが同時転送されるように構成される。
【００８８】
追加的に、ユーザ端末の動作はＳＲＳが周期的ＳＲＳか非周期的ＳＲＳかによって、また、少なくとも１つの実施形態に係る２つのＲＲＣパラメータ設定によって定義される。このような動作は後述する。
【００８９】
非周期的ＳＲＳは、送受信ポイントの特定の目的によってトリガーされる。非周期的ＳＲＳの転送がドロップされる時（即ち、ＳＲＳは該当サブフレームの最後のシンボルのリソースエレメントにマッピングされない）送受信ポイントは、非周期的ＳＲＳのためのトリガーリングメッセージ（triggering message）を、ＰＤＣＣＨを介して再転送しなければならない。このような再転送は、ＰＤＣＣＨのオーバーヘッドの増加を引き起こすことある。したがって、ユーザ端末は、２つのＲＲＣパラメータの設定（例えば、第１パラメータ（simultaneousAckNackAndCQI）及び第２パラメータ（simultaneousAckNackAndCQI- Format3-r11））に従って、非周期的ＳＲＳの場合に対しては周期的ＳＲＳより優先順位を置いて遂行動作が設定できる。即ち、ユーザ端末は第３パラメータ（例えば、ackNackSRS-SimulataneousTransmission）がＴＲＵＥに設定されている時、縮小されたＰＵＣＣＨフォーマット３を用いて単一または多重ＨＡＲＱＡＣＫ／ＮＡＣＫと周期的ＣＳＩ、そして非周期的ＳＲＳの同時転送動作が定義できる。第３パラメータは、周期的ＳＲＳ転送と非周期的ＳＲＳの転送のために送受信ポイントにより設定されるセル−特定のＳＲＳサブフレームで設定できる。このように定義されるユーザ端末の動作は非周期的ＳＲＳに対してのみ転送し、周期的ＳＲＳはドロップすることができる。
【００９０】
言い換えると、セル−特定のＳＲＳサブフレームで送受信ポイントが第３パラメータ（例えば、ackNackSRS-SimulataneousTransmission）をＴＲＵＥに設定する場合、送受信ポイントからの第２パラメータ（例えば、simultaneousAckNackAndCQI-Format3-r11）がＴＲＵＥに設定されるならば、縮小されたＰＵＣＣＨフォーマット３を使用して単一または多重ＨＡＲＱＡＣＫ／ＮＡＣＫと周期的ＣＳＩ、そして非周期的ＳＲＳを同時転送するユーザ端末の動作が定義できる。
【００９１】
２）第１パラメータ（simultaneousAckNackAndCQI）がＴＲＵＥに設定され、第２パラメータ（simultaneousAckNackAndCQI-Format3-r11）がＦＡＬＳＥに設定される場合、端末の動作は、次の通り遂行される。
【００９２】
第２パラメータ（例えば、simultaneousAckNackAndCQI-Format3-r11）がＦＡＬＳＥに設定されるので、ユーザ端末での曖昧性（ambiguity）の問題はない。したがって、ユーザ端末は第１パラメータ（例えば、simultaneousAckNackAndCQI）がＴＲＵＥに設定される時、ＰＵＣＣＨフォーマット２、２ａおよび２ｂを用いてＨＡＲＱ ＡＣＫ／ＮＡＣＫとＣＳＩとの同時転送を遂行することができる。
【００９３】
３）第１パラメータ（例えばsimultaneousAckNackAndCQI）がＦＡＬＳＥに設定され、第２パラメータ（例えば、simultaneousAckNackAndCQI-Format3-r11）はＴＲＵＥに設定される場合、端末の動作は、次の通り遂行される。
【００９４】
ＦＤＤの場合において、Ｒｅｌ−１１ユーザ端末に搬送波集合化が構成されており、ＰＵＣＣＨフォーマット３で構成されている場合に、Ｒｅｌ−１１ユーザ端末はＲｅｌ−１１送受信ポイントからのＲＲＣパラメータ（例えば、第２パラメータ（simultaneousAckNackAndCQI-Format3-r11））によりＰＵＣＣＨフォーマット３を使用して多重ＨＡＲＱＡＣＫ／ＮＡＣＫと周期的ＣＳＩを転送するように設定される。
【００９５】
他の実施形態によれば、Ｒｅｌ−１１ユーザ端末に搬送波集合化が構成されており、ＰＵＣＣＨフォーマット３で構成されている場合に、Ｒｅｌ−１１ユーザ端末は第２パラメータ（simultaneousAckNackAndCQI-Format3-r11）による同一の整合性のある動作を遂行するように構成できる。即ち、Ｒｅｌ−１１ユーザ端末は、第１セル（例えば、primary cell）と第２セル（例えば、secondary cells）に転送されるＡＣＫ／ＮＡＣＫが“単一（single）”か“多重（multiple）”かに関わらず、ＰＵＣＣＨフォーマット３を使用して単一または多重ＨＡＲＱ ＡＣＫ／ＮＡＣＫと周期的ＣＳＩとを同時転送するように構成される。
【００９６】
ＦＤＤとは異なり、ＴＤＤの場合においてユーザ端末が搬送波集合化の構成でない単一セル構成の場合であっても、ユーザ端末の多重ＨＡＲＱＡＣＫ／ＮＡＣＫの転送が要求されることがある。ＴＤＤの場合に、ＰＵＣＣＨフォーマット３で対応するＲｅｌ−１１ユーザ端末が構成されている場合、ユーザ端末はダウンリンク割り当てインデックス（例えばdownlink assignment index）の値が１以上の場合（例えば、該当関連ＨＡＲＱＡＣＫ／ＮＡＣＫを転送しなければならないダウンリンクサブフレームが多重の場合）、及び第２パラメータ（例えば、simultaneousAckNackAndCQI-Format3-r11）がＴＲＵＥに設定されていれば、ＰＵＣＣＨフォーマット３を用いて多重ＨＡＲＱＡＣＫ／ＮＡＣＫ転送と周期的ＣＳＩ転送を遂行ように定義できる。
【００９７】
一方、ＨＡＲＱ ＡＣＫ／ＮＡＣＫと周期的ＣＳＩとの同時転送はＳＲＳの転送とも関連することができる。まず、ユーザ端末の動作は、ＳＲＳが周期的ＳＲＳ（例えば、トリガータイプ０）か非周期的ＳＲＳ（例えば、トリガータイプ１）かを区分せず、２つのＲＲＣパラメータ（例えば、第１パラメータ（simultaneousAckNackAndCQI）及び第２パラメータ（simultaneousAckNackAndCQI-Format3-r11））の設定によって説明できる。
【００９８】
ＳＲＳの転送の頻繁なドロップ（drop）を防止するために、ユーザ端末の動作は、縮小されたＰＵＣＣＨフォーマット３を使用して単一または多重ＨＡＲＱ ＡＣＫ／ＮＡＣＫと周期的ＣＳＩ、そしてＳＲＳの同時転送が定義できる。即ち、ユーザ端末は送受信ポイントが端末に設定するサブフレームの設定がセル−特定のＳＲＳサブフレームに設定され、第３パラメータ（例えば、ackNackSRS-SimulataneousTransmission）の設定がＴＲＵＥに設定される場合、縮小されたＰＵＣＣＨフォーマット３を使用して単一または多重ＨＡＲＱＡＣＫ／ＮＡＣＫとＳＲＳとを同時転送するように定義される。
【００９９】
追加的に、ユーザ端末の動作は、ＳＲＳが周期的ＳＲＳか非周期的ＳＲＳかに応じ、２つのＲＲＣパラメータ設定に応じて、定義できる。このような端末の動作は以下に説明される。
【０１００】
非周期的ＳＲＳは送受信ポイントの特定の意図によりトリガーリングされる。例えば、非周期的ＳＲＳ転送がドロップされる場合に、送受信ポイントはＰＤＣＣＨを介して非周期的ＳＲＳのためのトリガーリングメッセージ（triggering message）を再転送する必要がある。このような再転送はＰＤＣＣＨのオーバーヘッドの増加を引き起こすことがある。したがって、ユーザ端末は、非周期的ＳＲＳの場合に対しては、周期的ＳＲＳより優先順位を置いて２つのＲＲＣパラメータ（例えば、第１パラメータ（simultaneousAckNackAndCQI）及び第２パラメータ（simultaneousAckNackAndCQI-Format3 -r11））の設定によって動作を遂行することができる。即ち、ユーザ端末の動作は第３パラメータ（例えば、ackNackSRS-SimulataneousTransmission）がセル−特定のＳＲＳサブフレームにおいてＴＲＵＥに設定されていれば、縮小されたＰＵＣＣＨフォーマット３を用いて単一または多重ＨＡＲＱＡＣＫ／ＮＡＣＫと周期的ＣＳＩ、そして非周期的ＳＲＳの同時転送遂行が定義できる。第３パラメータは、周期的ＳＲＳ転送と非周期的ＳＲＳの転送のために送受信ポイントから設定されるセル−特定のＳＲＳサブフレームで、関連する送受信ポイントによりユーザ端末に設定される。このような動作は端末に非周期的ＳＲＳに対してのみ転送できるようにし、周期的ＳＲＳはドロップすることができる動作である。言い換えると、第３パラメータ（例えば、ackNackSRS-SimulataneousTransmission）がセル−特定のＳＲＳサブフレームで送受信ポイントによりＴＲＵＥに設定され、第２パラメータ（例えば、simultaneousAckNackAndCQI-Format3-r11）の設定がＴＲＵＥの場合に、ユーザ端末の動作は、縮小されたＰＵＣＣＨフォーマット３を使用して単一または多重ＨＡＲＱＡＣＫ／ＮＡＣＫと周期的ＣＳＩ、そして非周期的ＳＲＳの同時転送を遂行するように定義できる。
【０１０１】
４）第１パラメータ（例えば、simultaneousAckNackAndCQI）がＦＡＬＳＥに設定され、第２パラメータ（例えば、simultaneousAckNackAndCQI-Format3-r11）がＦＡＬＳＥに設定される場合、ユーザ端末の動作は次の通り遂行される。
【０１０２】
この場合に、第１パラメータ（例えば、simultaneousAckNackAndCQI）と第２パラメータ（例えば、simultaneousAckNackAndCQI-Format3-r11）の両方がＦＡＬＳＥに設定される。したがって、ユーザ端末の動作はＨＡＲＱ ＡＣＫ／ＮＡＣＫとＣＳＩとの同時転送を遂行しないように定義される。即ち、この場合にユーザ端末は単一あるいは多重ＨＡＲＱＡＣＫ／ＮＡＣＫがＰＵＣＣＨフォーマットを通じて転送され、ＣＳＩはドロップされるように構成される。ＳＲＳ同時転送において、ユーザ端末は周期的ＣＳＩの転送が排除された状態でのＨＡＲＱＡＣＫ／ＮＡＣＫ転送とＳＲＳとの同時転送が構成される。
【０１０３】
図６は、少なくとも１つの実施形態による送受信ポイントの構成を示す。
【０１０４】
図６を参照すると、送受信ポイント６００は少なくとも１つの実施形態に従う基地局として動作する。このような送受信ポイント６００は、制御部６１０、送信部６２０、及び受信部６３０を含むことができる。
【０１０５】
制御部６１０は、ユーザ端末の動作において曖昧性の問題を解決するための動作全体を制御する。例えば、制御部６１０は、既に存在している第１パラメータ（例えば、simultaneousAckNackAndCQI）及び第２パラメータ（例えば、simultaneousAckNackAnd CQI-Format3-r11）の設定によってユーザ端末の動作を制御し、少なくとも１つの実施形態に従うアップリンクＨＡＲＱＡＣＫ／ＮＡＣＫと周期的ＣＳＩとを含む制御チャネルを転送する。
【０１０６】
送信部６２０と受信部６３０は、少なくとも１つの実施形態に従う動作を遂行するために必要な信号やメッセージ、データの送受信を行うように構成される。
【０１０７】
送信部６２０は、関連する上位階層により提供された第１パラメータを端末に転送する。第１パラメータは、ＰＵＣＣＨフォーマット２／２ａ／２ｂを用いて単一ＨＡＲＱＡ／ＮとＣＳＩとの同時転送を指示するためのものである。送信部６２０は、関連する上位階層により提供された第２パラメータをユーザ端末に転送する。第２パラメータは、ＰＵＣＣＨフォーマット２、２ａ、２ｂ及びＰＵＣＣＨフォーマット３のうちの１つを用いてＨＡＲＱＡＣＫ／ＮＡＣＫとＣＳＩとの同時転送を指示することに使われる。
【０１０８】
ＰＵＣＣＨフォーマット３で構成されるユーザ端末のために、受信部６３０は第１パラメータ及び第２パラメータ設定によってＰＵＣＣＨフォーマット２／２ａ／２ｂ及びＰＵＣＣＨフォーマット３のうちの１つを用いてＨＡＲＱＡＣＫ／ＮＡＣＫとＣＳＩとの同時転送を遂行するＰＵＣＣＨを受信することができる。
【０１０９】
デュプレックスモードのＦＤＤのため、また、１つ以上のサービングセルで構成されている端末のために、受信部６３０は第２パラメータがＴＲＵＥに設定され、ＨＡＲＱＡＣＫ／ＮＡＣＫが多重ＨＡＲＱ ＡＣＫ／ＮＡＣＫであれば、ＰＵＣＣＨフォーマット３を用いてＰＵＣＣＨにＨＡＲＱＡＣＫ／ＮＡＣＫとＣＳＩとの同時転送を遂行するＰＵＣＣＨを受信することができる。
【０１１０】
デュプレックスモードのＦＤＤのため、また、１つ以上のサービングセルで構成されている端末のために、受信部６３０は第２パラメータがＴＲＵＥに設定され、ＨＡＲＱＡＣＫ／ＮＡＣＫが単一ＨＡＲＱ ＡＣＫ／ＮＡＣＫであれば、ＰＵＣＣＨフォーマット２／２ａ／２ｂを用いてＰＵＣＣＨにＨＡＲＱＡＣＫ／ＮＡＣＫとＣＳＩとの同時転送を遂行するＰＵＣＣＨを受信することができる。
【０１１１】
デュプレックスモードのＴＤＤのため、また、単一サービングセルで構成されているユーザ端末のために、受信部６３０は第２パラメータがＴＲＵＥに設定され、ＨＡＲＱＡＣＫ／ＮＡＣＫが多重ＨＡＲＱ ＡＣＫ／ＮＡＣＫであれば、ＰＵＣＣＨフォーマット３を用いてＰＵＣＣＨにＨＡＲＱＡＣＫ／ＮＡＣＫとＣＳＩとの同時転送を遂行するＰＵＣＣＨを受信することができる。この場合、第１パラメータの設定はＴＲＵＥまたはＦＡＬＳＥのうちの１つに設定できる。
【０１１２】
デュプレックスモードのＦＤＤのために、受信部６３０は第１パラメータがＴＲＵＥに設定され、第２パラメータがＦＡＬＳＥに設定されていれば、ＰＵＣＣＨフォーマット２／２ａ／２ｂを用いてＰＵＣＣＨにＨＡＲＱＡＣＫ／ＮＡＣＫとＣＳＩとの同時転送を遂行するＰＵＣＣＨを受信することができる。
【０１１３】
図７は、少なくとも１つの実施形態によるユーザ端末の構成を示す。
【０１１４】
図７を参照すると、端末７００は、受信部７１０、制御部７２０、及び送信部７３０を含む。
【０１１５】
受信部７１０は送受信ポイントからダウンリンク制御情報、データ、及びメッセージを、関連チャネルを介して受信する。
【０１１６】
ＰＵＣＣＨフォーマット３で構成されているユーザ端末のために、受信部７１０は少なくとも１つの関連する送受信ポイントから、関連する上位階層により提供された第１パラメータ及び第２パラメータを受信することができる。第１パラメータはＰＵＣＣＨフォーマット２／２ａ／２ｂを用いてＰＵＣＣＨに単一ＨＡＲＱＡ／ＮとＣＳＩとの同時転送を指示することに使われる。第２パラメータはＰＵＣＣＨフォーマット３を用いてＰＵＣＣＨに多重ＨＡＲＱＡＣＫ／ＮＡＣＫとＣＳＩとの同時転送を指示することに使われる。
【０１１７】
制御部７２０は、少なくとも１つの実施形態に従う第１パラメータおよび第２パラメータの構成に応じて、アップリンクＨＡＲＱＡＣＫ／ＮＡＣＫと周期的ＣＳＩを含む制御チャネルの転送を遂行するために、端末動作の曖昧性（ambiguity）の問題を解決するときのユーザ端末の動作全体を制御する。
【０１１８】
送信部７３０は、送受信ポイントにアップリンク参照信号及びアップリンクチャネルを転送する。
【０１１９】
送信部７３０は第１パラメータ及び第２パラメータの設定に応じて、上記ＰＵＣＣＨフォーマット２／２ａ／２ｂ及び上記ＰＵＣＣＨフォーマット３のうちの１つを用いたＰＵＣＣＨにＨＡＲＱＡＣＫ／ＮＡＣＫとＣＳＩとの同時転送を遂行することができる。
【０１２０】
デュプレックスモードのＦＤＤのため、また、１つ以上のサービングセルで構成されているユーザ端末のために、送信部７３０は第２パラメータがＴＲＵＥに設定され、上記ＨＡＲＱＡＣＫ／ＮＡＣＫが多重ＨＡＲＱ ＡＣＫ／ＮＡＣＫであれば、上記ＰＵＣＣＨフォーマット３を用いて上記ＰＵＣＣＨにＨＡＲＱＡＣＫ／ＮＡＣＫとＣＳＩとの同時転送を遂行することができる。
【０１２１】
デュプレックスモードのＦＤＤのため、１つ以上のサービングセルで構成されているユーザ端末のため、送信部７３０は第２パラメータの設定がＴＲＵＥであり、第１パラメータがＴＲＵＥに設定され、ＨＡＲＱＡＣＫ／ＮＡＣＫが単一ＨＡＲＱ ＡＣＫ／ＮＡＣＫであれば、ＰＵＣＣＨフォーマット２／２ａ／２ｂを用いてＰＵＣＣＨにＨＡＲＱＡＣＫ／ＮＡＣＫとＣＳＩとの同時転送を遂行することができる。
【０１２２】
デュプレックスモードのＴＤＤのために、また、単一サービングセルで構成されているユーザ端末のため、送信部７３０は第２パラメータがＴＲＵＥに設定され、ＨＡＲＱＡＣＫ／ＮＡＣＫが多重ＨＡＲＱ ＡＣＫ／ＮＡＣＫであれば、ＰＵＣＣＨフォーマット３を用いて上記ＰＵＣＣＨにＨＡＲＱＡＣＫ／ＮＡＣＫとＣＳＩとの同時転送を遂行することができる。第１パラメータはＴＲＵＥまたはＦＡＬＳＥのうちの１つに設定され得る。
【０１２３】
デュプレックスモードのＦＤＤのために、送信部７３０は第１パラメータがＴＲＵＥに設定され、第２パラメータがＦＡＬＳＥに設定されていれば、ＰＵＣＣＨフォーマット２／２ａ／２ｂを用いてＰＵＣＣＨにＨＡＲＱＡＣＫ／ＮＡＣＫとＣＳＩとの同時転送を遂行することができる。
【０１２４】
前述したように、ユーザ端末の動作は、少なくとも１つの実施形態によってアップリンクＨＡＲＱＡＣＫ／ＮＡＣＫと周期的ＣＳＩとを含む制御チャネルの転送において、既存の第１パラメータ（例えば、simultaneousAckNackAndCQI）及び第２パラメータ（例えば、simultaneous AckNackAndCQI-Format3-r11）の設定によって定義される。したがって、端末の送受信ポイントの構成によって引き起こされる曖昧性の問題は解決できる。
【０１２５】
本発明の少なくとも１つの実施形態は、添付した図面を参照して説明した。しかしながら、本発明はこれに制限されるものではない。
【０１２６】
前述した第１パラメータ、第２パラメータ、及び第３パラメータは、各々simultaneousAckNackAndCQI、simultaneousAckNackAndCQI-Format3-r11、及びackNackSRS- SimulataneousTransmissionとして説明された。しかしながら、本発明はこれに制限されるものではない。同一な機能を遂行するパラメータは本発明に適用できる。
【０１２７】
前述した実施形態で言及された技術標準内容は本明細書に対する簡略な説明のために省略されたが、技術標準の関連内容は本明細書の一部を構成することができる。したがって、本明細書及び／又は請求範囲に標準関連内容を追加することは本発明の範囲に含まれるものとして解釈されるべきである。
【０１２８】
より詳しくは、含まれた文書は公開された文書の一部として本明細書の一部を構成することができる。したがって、本明細書及び／又は請求範囲に標準関連内容及び標準文書の一部を追加することは本発明の範囲に該当するものとして解釈されるべきである。
【０１２９】
以上の説明は、本発明の技術思想を例示的に説明したことに過ぎないものであって、本発明の本質的な特性から外れない範囲で多様な修正、変形および置換が可能である。したがって、本発明に開示された実施形態は本発明の技術思想を限定するためのものではなく、説明するためのものであり、本発明の技術思想の範囲はこのような実施形態に限定されるものではない。本発明の保護範囲は請求範囲により解釈されなければならず、それと同等な範囲内にある全ての技術思想は本発明の権利範囲に含まれるものと解釈されるべきである。
【０１３０】
他の出願への参照
【０１３１】
本特許出願は、２０１２年９月１４日付で韓国に出願した特許出願番号第１０−２０１２−０１０２３５２号、及び２０１２年１２月１４日付で韓国に出願した特許出願番号第１０−２０１２−０１４６００号に対し、３５Ｕ．Ｓ．Ｃ§１１９により優先権を主張し、その全ての内容は参考文献として本特許出願に併合される。
【図１】
0006423471.tif 000004
【図２】
0006423471.tif 000005
【図３】
0006423471.tif 000006
【図４】
0006423471.tif 000007
【図５】
0006423471.tif 000008
【図６】
0006423471.tif 000009
【図７】
0006423471.tif 000010